(57)【要約】【課題】  藻の胞子を確実に捕らえることができ藻場を確実に造成できる藻場造成用構造物及び藻場造成方法を提供することを目的とする。【解決手段】  この藻場造成用構造物３３は、浚渫土を主原料とし各個体の表面が微細な多孔質であり保水性を有し栄養塩類が溶出可能である粒状化物３０を型枠３２に多数投入し、粒状化物同士が固化材の作用により接着することで一体化し表面３３ａに凹凸を有し、海や湖沼などにおいて藻場３４を確実に造成できる。【選択図】  図１
2005052112.tif 000002
【特許請求の範囲】
【請求項１】
各個体の表面が微細な多孔質であり保水性を有し栄養塩類が溶出可能である粒状化物を型枠に多数投入し、前記粒状化物同士が固化材の作用により接着することで一体化し表面に凹凸を有することを特徴とする藻場造成用構造物。
【請求項２】
各個体の表面が微細な多孔質であり保水性を有し栄養塩類が溶出可能である粒状化物を藻場造成地に多数投入し、前記粒状化物同士が固化材の作用により接着することで一体化し表面に凹凸を有することを特徴とする藻場造成用構造物。
【請求項３】
前記藻場造成地は比較的大きな凹凸部を有し、前記粒状化物が前記凹凸部にあわせて配列され一体化されたことを特徴とする請求項２に記載の藻場造成用構造物。
【請求項４】
前記粒状化物同士を圧縮することで前記表面に形成された凹部と、前記凹部に前記粒状化物が再投入されて形成された保水部と、を備えることを特徴とする請求項１，２または３に記載の藻場造成用構造物。
【請求項５】
前記粒状化物は浚渫土、建設汚泥、灰（焼却灰・石濠圧・製紙灰・火山灰）を主成分とすることを特徴とする請求項１乃至４のいずれか１項に記載の藻場造成用構造物。
【請求項６】
各個体の表面が微細な多孔質であり保水性を有し栄養塩類が溶出可能である粒状化物を造粒する工程と、
前記粒状化物を型枠に多数投入し、前記粒状化物同士が固化材の作用により接着することで一体化し表面に凹凸を形成する工程と、
前記多数の粒状化物が投入された型枠を藻場造成地に設置する工程と、を含み、前記藻場造成地に藻場を造成することを特徴とする藻場造成方法。
【請求項７】
各個体の表面が微細な多孔質であり保水性を有し栄養塩類が溶出可能である粒状化物を造粒する工程と、
前記粒状化物を藻場造成地に多数投入し、前記粒状化物同士が固化材の作用により接着することで一体化し表面に凹凸を形成する工程と、を含み、前記藻場造成地に藻場を造成することを特徴とする藻場造成方法。
【請求項８】
海底または水底において浚渫工事を行う工程を更に含み、
前記浚渫工事による浚渫土を原料にして前記粒状化物を造粒することを特徴とする請求項７に記載の藻場造成方法。
【請求項９】
前記粒状化物の造粒を前記浚渫工事の場所及び／又は前記藻場造成地の近傍に設置した造粒プラントにおいて行うことを特徴とする請求項６，７または８に記載の藻場造成方法。
【発明の詳細な説明】
【技術分野】
【０００１】
本発明は、浚渫土や建設汚泥等からなる粒状化物を原料とする藻場造成用構造物及び藻場造成方法に関する。
【背景技術】
【０００２】
海や湖沼などにおける藻場は、魚類の生息場、産卵場、稚魚の保護場等の機能を有し、豊かな生物相を維持する上で重要な役割を果たしていることが知られている。この藻場を人工的に造成するために、下記特許文献１には、セメント及び硬化剤を混ぜることでヘドロを固めて成形したヘドロ固体よりなる人工藻礁が提案されている。ヘドロ固体のセメント含有率はヘドロ固体を海水中に設置した際にそのヘドロ固体の表面が経時的に少しずつ崩壊する値に設定されている。この人工藻礁によれば、海水中に設置されたヘドロ固体の表面に藻が成長し、この藻が魚介類等の栄養分になる。
【０００３】
下記特許文献２には、小動物の生息空間となる空隙が形成されるような粒径の骨材で形成したポーラスコンクリートからなる本体部と、本体部に一体化した植栽基盤流出防止層とで構成した生態系保全用ポーラスコンクリート構造体が記載されている。上記植栽基盤流出防止層は植物の根の侵入は許容するが土壌の流出は阻止する程度の空隙が形成されるような粒径、例えば粒径５〜２０ｍｍ、好ましくは１０〜２０ｍｍの細径の骨材を用いたポーラスコンクリートを利用して土壌の吸い出しは阻止するが、植物の根の侵入は許容する程度の数ミリ程度の小さな空隙が確保できるように形成されている。このポーラスコンクリート構造体によれば、強度と透水性が高く、植物や小動物の生息の場をつくることができる。
【０００４】
しかし、特許文献１では、人工藻礁のヘドロ固体の表面が経時的に崩壊するため海流等の関係で藻の胞子が流されてしまい藻が成長し難くなり、また、ヘドロ固体の表面に藻の小さな胞子を確実に捕らえて藻を成長させるための構成は開示されていない。
【０００５】
また、特許文献２のポーラスコンクリート構造体では、植栽基盤流出防止層は植物の根の侵入を許容する程度の数ミリ程度の小さな空隙を確保しているが、この空隙では大きすぎて藻の胞子が流され易く、藻の小さな胞子を確実に捕らえて藻を成長させることはできない。また、ポーラスコンクリート構造体を護岸に適用した場合、干潮時に水が引いて露出した部分が温度上昇してしまうので、常に水没している部分でしか海藻は生息できず、藻が成長できない。
【特許文献１】特開平７−７５４６２号公報
【特許文献２】特開平２００２−１８８１３１号公報
【発明の開示】
【発明が解決しようとする課題】
【０００６】
本発明は、上述のような従来技術の問題に鑑み、藻の胞子を確実に捕らえることができ藻場を確実に造成できる藻場造成用構造物及び藻場造成方法を提供することを目的とする。
【課題を解決するための手段】
【０００７】
上記目的を達成するために、本発明による第１の藻場造成用構造物は、各個体の表面が微細な多孔質であり保水性を有し栄養塩類が溶出可能である粒状化物を型枠に多数投入し、前記粒状化物同士が固化材の作用により接着することで一体化し表面に凹凸を有することを特徴とする。
【０００８】
本発明による第２の藻場造成用構造物は、各個体の表面が微細な多孔質であり保水性を有し栄養塩類が溶出可能である粒状化物を藻場造成地に多数投入し、前記粒状化物同士が固化材の作用により接着することで一体化し表面に凹凸を有することを特徴とする。
【０００９】
上記第１及び第２の藻場造成用構造物によれば、次の作用効果(1)乃至(3)を奏するので、海や湖沼などにおいて藻場を確実に造成できる。
【００１０】
(1)粒状化物同士が一体化し凹凸を有する表面で粒状化物が微細な多孔質であることで、発生初期等の吸着の弱い胞子の足が付着し易く、比較的大きな胞子の足が絡み易く、また比較的小さい胞子が取り込まれた後に流され難くなり、胞子自体の取り込みをより確実に行うことができ、藻の胞子を確実に捕らえることができ、藻が確実に成長できる。なお、粒状化物の表面に形成される微細孔は５０〜５００μｍ程度の径を有することが好ましい。
【００１１】
(2)粒状化物が微細な多孔質のため保水性を有し、この保水効果により干潮時にも多数の粒状化物が水分を保持し、藻場造成用構造物の表面の温度上昇や乾燥を抑えることができる。
【００１２】
(3)富栄養化した浚渫土等を利用した粒状化物から栄養塩類が溶出可能であるので、プランクトン類に必要な窒素・燐を緩やかに供給することができる。
【００１３】
上記第２の藻場造成用構造物において前記藻場造成地は比較的大きな凹凸部を有し、前記粒状化物が前記凹凸部にあわせて配列され一体化されていることが好ましい。凹凸部が不規則な地形であっても粒状化物を投入するだけで粒状化物が追従し粒同士が接着することで一体化した構造物となる。このように、粒状化物を投入するだけで一体化することが可能であり、不規則な地形に設置できかつ設置できる範囲が広がる。
【００１４】
また、上記第１及び第２の藻場造成用構造が物前記粒状化物同士を圧縮することで前記表面に形成された凹部と、前記凹部に前記粒状化物が再投入されて形成された保水部と、を備えることが好ましい。粒状化物同士を圧縮することで粒状化物同士の空隙を簡易に調整でき、形成した凹部では粒状化物間の空隙が減り透水性が低くなるので、透水性の低い凹部に粒状化物を再投入し保水部を形成できる。この保水部を干満時の潮溜まり等として用いることができるので、藻や小魚等の生息範囲が広がる。
【００１５】
また、前記粒状化物は浚渫土、建設汚泥、灰（焼却灰・石濠圧・製紙灰・火山灰）などを主成分とすることができる。なお、粒状化物は固化材、ポリマ及び凝集剤を更に含む。
【００１６】
本発明による藻場造成方法は、上述の第１または第２の藻場造成用構造物を用いて海や湖沼に藻場を造成するものである。
【００１７】
即ち、本発明による第１の藻場造成方法は、各個体の表面が微細な多孔質であり保水性を有し栄養塩類が溶出可能である粒状化物を造粒する工程と、前記粒状化物を型枠に多数投入し、前記粒状化物同士が固化材の作用により接着することで一体化し表面に凹凸を形成する工程と、前記多数の粒状化物が投入された型枠を藻場造成地に設置する工程と、を含み、前記藻場造成地に藻場を造成することを特徴とする。
【００１８】
第１の藻場造成方法によれば、上述の第１の藻場造成用構造物を藻場造成地に設置し、上述の(1)乃至(3)と同様の作用効果を奏するので、海や湖沼などにおいて藻場を確実に造成できる。
【００１９】
本発明による第２の藻場造成方法は、各個体の表面が微細な多孔質であり保水性を有し栄養塩類が溶出可能である粒状化物を造粒する工程と、前記粒状化物を藻場造成地に多数投入し、前記粒状化物同士が固化材の作用により接着することで一体化し表面に凹凸を形成する工程と、を含み、前記藻場造成地に藻場を造成することを特徴とする。
【００２０】
第２の藻場造成方法によれば、上述の第２の藻場造成用構造物を藻場造成地に形成し、上述の(1)乃至(3)と同様の作用効果を奏するので、海や湖沼などにおいて藻場を確実に造成できる。
【００２１】
上記第２の藻場造成方法では海底または水底において浚渫工事を行う工程を更に含み、前記浚渫工事による浚渫土を原料にして前記粒状化物を造粒するようにできる。浚渫工事で生じた浚渫土を利用するので、残土処理工数を低減できる。
【００２２】
また、前記粒状化物の造粒を前記浚渫工事の場所及び／又は前記藻場造成地の近傍に設置した造粒プラントにおいて行うようにできる。粒状化物の造粒を浚渫工事の場所・藻場造成地の近傍で行うことができるので、粒状化物の運搬が容易となり工事コストの削減に寄与でき、また、浚渫工事で生じた残土の処理工数を低減できる。
【発明の効果】
【００２３】
本発明の藻場造成用構造物及び藻場造成方法によれば、藻の胞子を確実に捕らえることができ藻が確実に成長できるので、藻場を確実に造成できる。
【発明を実施するための最良の形態】
【００２４】
以下、本発明による第１乃至第４の実施の形態について図面を用いて説明する。
【００２５】
〈第１の実施の形態〉
【００２６】
図８は第１の実施の形態による藻場造成方法を説明するためのフローチャートである。本実施の形態では、浚渫土の含水比に応じて異なる造粒工程を採用している。
【００２７】
まず、浚渫土等の主原料の含水比が２００％以上であるかどうかを確認し（Ｓ０１）、含水比が２００％以下の場合、後述の図５（ｂ）のように脱水工程のない造粒処理を選定し、添加剤としてはポリマーと固化材であり、また、含水比が２００％以上の場合、後述の図４（ｂ）のように脱水工程のある造粒処理を選定し、添加剤としては凝集剤と固化材である。このようにして含水比に基づいて工法を選定する（Ｓ０２）。
【００２８】
次に、脱水工程のある造粒処理の場合、スクリュープレスまたはフィルタープレスにより脱水工程を実行し脱水ケーキを作る（Ｓ０３）。そして、後述の図１の造粒プラント３１の造粒装置、図４（ｂ）造粒ミキサ４９や図５（ｂ）の造粒ミキサ７５で造粒を行う（Ｓ０４）。このようにして製造された粒状化物を後述の図４（ｃ）、図５（ｃ）のように、運搬用小船５１で運搬し（Ｓ０５）、藻場造成地５２に直接投入することで、藻場を造成する（Ｓ０６）。
【００２９】
なお、上述のように含水比を目安にして造粒工法を選定するが、更に造粒装置や造粒ミキサの処理能力や添加材のコスト等を考慮して最終的に工法を選定することが好ましい。
【００３０】
また、脱水を行うスクリュープレスは、本出願人が特開２００２−１９２３８７公報で提案したものを使用できる。また、フィルタープレスを使用した場合には、脱水ケーキの破砕工程が必要になる場合がある。
【００３１】
〈第２の実施の形態〉
【００３２】
図１は第２の実施の形態による藻場造成方法の各工程（ａ）、（ｂ）、（ｃ）を説明するための図である。図２は図１の藻場造成方法により造成した藻場の効果を説明するために藻場造成用構造物の表面近傍を拡大して模式的に示す図である。図３は図１の造粒装置で形成された粒状化物の多孔質表面を示す電子顕微鏡写真（ａ）、（ｂ）である。
【００３３】
図１に示すように、第２の実施の形態による藻場造成方法は、浚渫土から粒状化物３０を造粒プラント３１で多数製造する造粒工程（ａ）と、多数の粒状化物３０を型枠３２に投入し圧縮し自然固化させブロック状にすることで藻場造成用構造物３３を形成する工程（ｂ）と、藻場造成用構造物３３を藻場造成地で海中に投入し藻場３４を造成する工程（ｃ）と、を含む。
【００３４】
粒状化物３０は、浚渫土を主原料とし、セメントや石膏等の固化材、及びポリマーまたは凝集剤を含む。上述の図８のように、ポリマーは、主原料の浚渫土の含水比が２００％以下の場合に添加され、水に溶けて土粒子を吸着する。この場合は、前処理としての脱水工程は省略する。また、凝集剤は主原料の浚渫土の含水比が２００％以上の場合に添加され、脱水工程において土粒子を凝集させてフロックを作成し、脱水を容易にする。
【００３５】
図１の造粒プラント３１は造粒装置等を備えるが、この造粒装置としては、本発明者の１人が他の発明者等とともに特開２００３−１２９７において提案した造粒ミキサを用いることができる。即ち、図１の造粒プラントに供給される浚渫土を脱水して得られる脱水ケーキを造粒ミキサに供給し、続いて、セメント等の無機粉末固化材を投入する。投入された固化材は、均一に分散され、粒子単位に分散された被処理物の粒子の周囲に塗される。塗された粒子単位の被処理物はより強固に凝集して粒状化物となる。そして、所定期間養生して粒状化物を得ることができる。
【００３６】
上述のようにして製造される粒状化物は、図２に示すように、その表面が微細な多孔質となっており、図３（ａ）、（ｂ）のように粒状化物の表面に形成される微細孔は５０〜５００μｍ程度の径を有し、かかる微細な多孔質のため高い保水性を有する。また、かかる粒状化物は浚渫土を主原料とするので豊富な栄養分を有し水中で栄養塩類が溶出可能である。
【００３７】
以上のように、浚渫土などを粒状化した多数の粒状化物を型枠３２に直接投入し、粒状化物に含まれる固化材の硬化作用により粒状化物同士が自然に付着し結合することにより（図１（ｂ））、図３のように、藻場造成用構造物３３の表面３３ａが５〜３０ｍｍ程度の径を有する不規則な凹凸のあるポーラス状に形成される。上述の藻場造成用構造物３３を藻場造成地に投入することで海中に藻場３４を造成することができる（図１（ｃ））。
【００３８】
以上の本実施の形態によれば、次のような効果を得ることができる。
（１）藻が基盤などに吸着する初期段階（胞子発生から１〜２日）では藻の足は吸着が弱いため、平坦な面では流れにより付着することが困難であり、また、ホンダワラ類の胞子などは径が１００〜３００μｍであり、微細な穴に足を張ることにより付着し、またアラメなどは径が８〜９μｍ程度であるため、微細な穴の方が確実に基盤に取り込まれる。しかし、従来、１００μｍ以下の微細な多孔質を有するポーラスコンクリートは存在しないのに対し、上述の藻場造成用構造物３３による藻場３４では、その表面３３ａが５０〜５００μｍ程度の微細な隙間を有する多孔質であることで、図２のように、ホンダワラ類などの比較的大きな胞子Ａの足Ａ１が微細孔ａ１に絡み易く、また、径が最大で１０μｍ程度であるアラメなどの比較的小さい胞子Ｂが微細孔ｂ１内に取り込まれ易く、取り込まれた後に、図２の方向Ｈのような海流により流され難い。このように、藻場造成用構造物３３の表面３３ａにおいて藻の胞子が付き易く藻が確実に成長できるので、藻場３４を確実に造成できる。
【００３９】
（２）藻場造成用構造物３３の構成材料が上述の多孔質性の粒状化物であるので、高い保水性（約３０％）を有し、このため、藻場３４が干潮時に露出し空気中に暴露しても、水分の蒸発による乾燥や温度上昇を抑えることができる。このため、藻場３４において藻や小魚の生育に好都合である。なお、図１（ｂ）のように型枠３２に投入した後に粒状化物の圧縮の度合いを制御して粒状化物同士の間隙を調整し凹部を形成し、藻場造成用構造物３３の透水係数を調整することで、表面３３ａに潮溜まり等の保水可能な保水部を形成できる（図７参照）。
【００４０】
（３）富栄養化した浚渫土を利用するため、水中において粒状化物から栄養塩類が溶出することで、プランクトン類に必要な窒素、燐を緩やかに供給することができる。
【００４１】
〈第３の実施の形態〉
【００４２】
図４は第３の実施の形態による藻場造成方法の各工程（ａ）、（ｂ）、（ｃ）、（ｄ）を説明するための図である。
【００４３】
図４に示すように、第３の実施の形態による藻場造成方法は、海底の浚渫工事領域４０において浚渫工事船４１により浚渫工事を行う工程（ａ）と、造粒プラントを有するプラント台船４２で浚渫工事で生じた浚渫土から粒状化物３０を多数製造する造粒工程（ｂ）と、プラント台船４２から運搬用小船５１で運搬した多数の粒状化物３０を護岸５３近くの藻場造成地５２で海中に投入する工程（ｃ）と、護岸５３近くの藻場造成地５２に投入した多数の粒状化物３０が自然固化しブロック状に藻場造成用構造物５５を形成することで藻場５４を造成する工程（ｄ）と、を含む。
【００４４】
図４（ｂ）のプラント台船４２の造粒プラントは、浚渫工事船４１による浚渫工事で生じた浚渫土の含水比がおよそ２００％以上の場合に適用され、浚渫工事船４１からの浚渫土を土運搬船４３に仮置きした後、バックホウ４４で凝集反応槽４５に移し、フロックを作成した後、脱水処理設備のスクリュープレス４６で脱水した脱水ケーキをバックホウ４８で造粒ミキサ４９に供給するとともにセメント等を貯留した固化材サイロ４７等から固化材等を造粒ミキサ４９に供給することで、粒状化物３０を自動的に製造することができる。
【００４５】
この粒状化物３０は、図３及び図４（ａ）、（ｂ）と同様に、その表面が微細な多孔質であり、粒状化物の表面に形成される微細孔は５０〜５００μｍ程度の径を有し、かかる微細な多孔質のため高い保水性を有し、また、浚渫土を主原料とするので豊富な栄養分を有し水中で栄養塩類が溶出可能である。
【００４６】
上述のようにして製造された粒状化物３０はベルトコンベア５０で運搬用小船５１に移されてから、運搬用小船５１で運搬されて藻場造成地５２に直接投入される。プラント台船４２は藻場造成地５２に比較的近い位置にある。
【００４７】
以上のように、プラント台船４２は、海底の浚渫工事領域４０で浚渫工事を行う浚渫工事船４１に隣接しており、浚渫工事で生じた浚渫土から粒状化物を製造し、藻場造成地５２に近いので、粒状化物の運搬が容易となり工事コストの削減に寄与でき、また、浚渫工事で生じた残土を処理できるので、残土処理の処理工数を低減できる。
【００４８】
また、藻場造成地５２は護岸５３の近くであり、粒状化物を直接投入し全体の形状を加工した後に固化材の作用により自然に固化させ、不規則な地形の凹凸に粒状化物が追従し、粒状化物同士が接着することで一体化した藻場造成用構造物５５を形成できる。
【００４９】
上記藻場造成用構造物５５によれば、その表面５５ａが図２，図３のように微細な隙間を有する多孔質であり、保水性を有し、更に浚渫土を主原料とし栄養塩類が溶出できるので、上述と同様の効果（１）乃至（３）を奏し、図２のように藻場造成用構造物５５の表面５５ａにおいて藻の胞子が付き易く藻が確実に成長できるため、図４（ｄ）の藻場５４を確実に造成できるとともに、藻場造成地５２が護岸５３に近いなどのため不規則な地形の凹凸面を有していても不規則な凹凸面に粒状化物が追従し粒状化物同士が接着することで一体的に設置できる。
【００５０】
〈第４の実施の形態〉
【００５１】
図５は第４の実施の形態による藻場造成方法の各工程（ａ）、（ｂ）、（ｃ）、（ｄ）を説明するための図である。
【００５２】
図５に示すように、第４の実施の形態による藻場造成方法は、第２の実施の形態と同様に、海底の浚渫工事領域４０において浚渫工事船４１により浚渫工事を行う工程（ａ）と、造粒プラントを有するプラント台船４２で浚渫工事で生じた浚渫土から粒状化物３０を多数製造する造粒工程（ｂ）と、プラント台船４２から運搬用小船５１で運搬した多数の粒状化物３０を護岸５３近くの藻場造成地５２で海中に投入する工程（ｃ）と、護岸５３近くの藻場造成地５２に投入した多数の粒状化物３０が自然固化しブロック状に藻場造成用構造物５５を形成することで藻場５４を造成する工程（ｄ）と、を含む。
【００５３】
図５（ｂ）のプラント台船７２の造粒プラントは、浚渫工事船４１による浚渫工事で生じた浚渫土の含水比がおよそ２００％以下の場合に適用され、浚渫土を貯留槽７３に溜め、脱水せずにバックホウ７４で造粒ミキサ７５に供給するとともにポリマ、固化材等を造粒ミキサ４９に供給することで、粒状化物３０を自動的に製造することができる。
【００５４】
この粒状化物３０は、図３及び図４（ａ）、（ｂ）と同様に、その表面が微細な多孔質であり、粒状化物の表面に形成される微細孔は５０〜５００μｍ程度の径を有し、かかる微細な多孔質のため高い保水性を有し、また、浚渫土を主原料とするので豊富な栄養分を有し水中で栄養塩類が溶出可能である。
【００５５】
上述のようにして製造された粒状化物３０はベルトコンベア７６で運搬用小船５１に移されてから、運搬用小船５１で運搬されて藻場造成地５２に直接投入される。プラント台船４２は藻場造成地５２に比較的近い位置にある。
【００５６】
以上のように、プラント台船７２は、海底の浚渫工事領域４０で浚渫工事を行う浚渫工事船４１に隣接しており、浚渫工事で生じた浚渫土から粒状化物を製造し、藻場造成地５２に近いので、粒状化物の運搬が容易となり工事コストの削減に寄与でき、また、浚渫工事で生じた残土を処理できるので、残土処理の処理工数を低減できる。
【００５７】
また、藻場造成地５２は護岸５３の近くであり、粒状化物を直接投入し全体の形状を加工した後に固化材の作用により自然に固化させ、不規則な地形の凹凸に粒状化物が追従し、粒状化物同士が接着することで一体化した藻場造成用構造物５５を形成できる。
【００５８】
次に、凹凸のある護岸等に形成した藻場について図６を参照して説明する。図６は凹凸のある護岸等に形成した藻場造成用構造物を示す図である。
【００５９】
図６のように、護岸５３は、複数の凸部５６，５７，５８を有し、各凸部５６〜５８の両側の凹部とともに、海底に向け傾斜した比較的大きな凹凸面がある。このような護岸５３の傾斜した比較的大きな凹凸面に対し、図４（ｃ）、図５（ｃ）と同様に、粒状化物を投入するだけで藻場造成用構造物６０を一体化して設置することができる。この藻場造成用構造物６０により、図４（ｄ）、図５（ｄ）と同様に、護岸５３の傾斜した凹凸面に藻場を確実に造成できる。
【００６０】
従来、底面が平坦な通常のブロックやマット式の藻礁では不規則な図６のような凹凸面に設置するためには基礎部を築くかまたは整形する必要があり、また、浮遊式ではワイヤを打つ必要があり、限定された材料に限られており、不規則な地形の既設護岸に藻場を設置する場合は手間がかかり、工事コストが嵩んだのに対し、図６によれば、粒状化物を投入することで護岸５３の不規則な凹凸面に藻場造成用構造物６０を一体的に設置することが容易であり、設置可能な範囲を簡単に広げることができるので、工事コストの低減を実現できる。
【００６１】
次に、図４（ｄ）、図５（ｄ）や図６の藻場造成用構造物に干潮時における潮溜まり等の保水部の形成について図７を参照して説明する。図７は保水部の形成工程（ａ）、（ｂ）、（ｃ）を示す図である。
【００６２】
粒状化物３０同士が単に結合しただけでは、図７（ａ）のように粒状化物３０同士の間隔が比較的広く、干潮時に空気中に暴露する図６のような潮溜まり５９では、海水が透過してしまい海水が失われてしまうが、藻場造成用構造物の設置の初期段階では粒状化物同士の間隔を小さくすることができるので、図７（ｂ）のように、圧縮により凹部６１を形成するとともに粒状化物３０同士の空隙を減らして透水性を下げ海水が透過し難いようにする。
【００６３】
次に、図７（ｃ）のように透水性の低い凹部６１に粒状化物３０ａを再投入することで保水可能な保水部６２を形成する。この保水部６２は例えば図６のような潮溜まり５９に適用し、干満時の潮溜まりで藻や小魚等が生息できる。
【００６４】
以上のようにして凹部６１に形成した保水部６２を干潮時の潮溜まりにでき、干潮時の乾燥や温度上昇を抑えることができるので、藻や小魚等の生育を助け、藻や小魚等の生息範囲を広げることができる。
【００６５】
以上のように本発明を実施の形態により説明したが、本発明はこれらに限定されるものではなく、本発明の技術的思想の範囲内で各種の変形が可能である。例えば、図５では、プラント台船４２が藻場造成地に接近しているが、藻場造成地から離れていてもよく、運搬用船で運搬し藻場造成地に投入できる。または、プラント台船４２は浚渫工事領域から離れていてもよく、浚渫土を運搬船でプラント台船４２まで運搬するようにしてもよい。
【００６６】
また、粒状化物の主原料を浚渫土としたが、本発明ではこれに限定されず、建設汚泥、灰（焼却灰・石濠圧・製紙灰・火山灰）等を主原料としてもよく、これらと浚渫土とを混合させてもよい。
【００６７】
また、上述の図８等の説明では、浚渫土等の含水比２００％を基準にして浚渫土等について脱水処理を行うか否かを判断したが、この基準となる含水比は２００％に限定されるものではなく、浚渫土等の土質等に応じて１５０乃至２５０％の範囲内で適宜変えてもよい。
【図面の簡単な説明】
【００６８】
【図１】第２の実施の形態による藻場造成方法の各工程（ａ）、（ｂ）、（ｃ）を説明するための図である。
【図２】図１の藻場造成方法により造成した藻場の効果を説明するために藻場造成用構造物の表面近傍を拡大して模式的に示す図である。
【図３】図１の造粒プラントで形成された粒状化物の多孔質表面を示す電子顕微鏡写真（ａ）、（ｂ）である。
【図４】第３の実施の形態による藻場造成方法の各工程（ａ）、（ｂ）、（ｃ）、（ｄ）を説明するための図である。
【図５】第４の実施の形態による藻場造成方法の各工程（ａ）、（ｂ）、（ｃ）、（ｄ）を説明するための図である。
【図６】第３及び第４の実施の形態において比較的大きな凹凸のある護岸等に形成した藻場造成用構造物を示す図である。
【図７】図４（ｄ）や図６において形成可能な潮溜まり等の保水部の形成工程（ａ）、（ｂ）、（ｃ）を示す図である。
【図８】第１の実施の形態による藻場造成方法を説明するためのフローチャートである。
【符号の説明】
【００６９】
１・・・混合層
３０・・・粒状化物
３２・・・型枠
３３・・・藻場造成用構造物
３３ａ・・・藻場造成用構造物の表面
３４・・・藻場
４０・・・浚渫工事領域
４１・・・浚渫船
４２，７２・・・プラント台船
５２・・・藻場造成地
５３・・・護岸
５４・・・藻場
５５，６０・・・藻場造成用構造物
５５ａ・・・藻場造成用構造物の表面
５９・・・潮溜まり
６１・・・凹部
６２・・・保水部
Ａ・・・ホンダワラ類などの比較的大きな胞子
ａ１・・・微細孔
Ｂ・・・アラメなどの比較的小さい胞子
ｂ１・・・微細孔
【図１】
2005052112.tif 000003
【図２】
2005052112.tif 000004
【図４】
2005052112.tif 000005
【図５】
2005052112.tif 000006
【図６】
2005052112.tif 000007
【図７】
2005052112.tif 000008
【図８】
2005052112.tif 000009
【図３】
2005052112.tif 000010